(57)【要約】【課題】    津波等の災害時、容易に装着することができると共に、装着時容易に離脱しにくい防災用バッグ、防災用バッグの装着方法、防災用座布団及び防災用座布団の装着方法を提供する。【解決手段】    防災用バッグＢは、物を入れる収納部を有し、取っ手１１を有する袋体１と、この袋体１に取り付けられた第１の浮力体２と、第２の浮力体３１を取り付けた浮力取り付け部材３と、この浮力取り付け部材３と袋体１を接続すると共に、装着者の頭を通す開口部４１を備えた接続体４と、浮力取り付け部材３に接続された右足装着部５と、浮力取り付け部材３に接続された左足装着部６と、接続体４の開口部４１の大きさは、装着者の頭を通すが、装着者の頭及び装着者の肩を通さないものであり、接続体４と袋体１の接続部位Ｘより折曲して、袋体１を浮力取り付け部材３に近接させ、この近接状態を保持する保持手段８を備えているものである。【選択図】図２
2016112398.tif 000002
【特許請求の範囲】
【請求項１】
物を入れる収納部を有し、取っ手を有する袋体と、
この袋体の一側面に設けられたポケットと、
前記袋体に取り付けられ、第１の浮力体を内在した第１の浮力取り付け部材と、
第２の浮力体を内在した第２の浮力取り付け部材と、
この第２の浮力取り付け部材と前記第１の浮力取り付け部材を接続すると共に、装着者の頭を通す開口部を備えた接続体と、
前記第２の浮力取り付け部材に接続された右足装着部と、
前記第２の浮力取り付け部材に接続された左足装着部とを備え、
前記接続体の前記開口部の大きさは、装着者の頭を通す大きさであり、
前記ポケットに前記右足装着部、前記左足装着部、前記第１の浮力取り付け部材及び前記第２の浮力取り付け部材が収納され、バッグとして使用し、
災害時、前記右足装着部に前記装着者の右足を、前記左足装着部に前記装着者の左足を、前記接続体の前記開口部に前記装着者の頭を通して、装着する
ことを特徴とする防災用バッグ。
【請求項２】
第１の浮力体を内在した第１の浮力取り付け部材と、
第２の浮力体を内在した第２の浮力取り付け部材と、
この第２の浮力取り付け部材と前記第１の浮力取り付け部材を接続すると共に、装着者の頭を通す開口部を備えた接続体と、
前記第２の浮力取り付け部材に接続された右足装着部と、
前記第２の浮力取り付け部材に接続された左足装着部とを備え、
前記接続体の前記開口部の大きさは、装着者の頭を通す大きさであり、
災害時、前記右足装着部に前記装着者の右足を、前記左足装着部に前記装着者の左足を、前記接続体の前記開口部に前記装着者の頭を通して、装着する
ことを特徴とする防災具。
【請求項３】
物を入れる収納部を有し、取っ手を有する袋体と、
この袋体の一側面に設けられたポケットと、
前記袋体に取り付けられ、第１の浮力体を内在した第１の浮力取り付け部材と、
第２の浮力体を内在した第２の浮力取り付け部材と、
この第２の浮力取り付け部材と前記第１の浮力取り付け部材を接続すると共に、装着者の頭を通す開口部を備えた接続体と、
前記第２の浮力取り付け部材に接続された右足装着部と、
前記第２の浮力取り付け部材に接続された左足装着部とを備え、
前記接続体の前記開口部の大きさは、装着者の頭を通す大きさであり、
前記ポケットに前記右足装着部、前記左足装着部、前記第１の浮力取り付け部材及び前記第２の浮力取り付け部材が収納され、バッグとして使用し、
災害時、前記右足装着部に前記装着者の右足を、前記左足装着部に前記装着者の左足を、前記接続体の前記開口部に前記装着者の頭を通して、装着する
ことを特徴とする防災用バッグの装着方法。
【請求項４】
物を入れる収納部を有し、取っ手を有する袋体と、
この袋体の一側面に設けられたポケットと、
前記袋体に取り付けられ、第１の浮力体を内在した第１の浮力取り付け部材と、
第２の浮力体を内在した第２の浮力取り付け部材と、
この第２の浮力取り付け部材と前記第１の浮力取り付け部材を接続すると共に、装着者の頭を通す開口部を備えた接続体と、
前記第２の浮力取り付け部材に接続された右足装着部と、
前記第２の浮力取り付け部材に接続された左足装着部とを備え、
前記接続体の前記開口部の大きさは、装着者の頭を通す大きさであり、
前記ポケットに前記右足装着部、前記左足装着部、前記第２の浮力取り付け部材及び前記第１の浮力取り付け部材を収納すると共に、前記第２の浮力取り付け部材と前記第１の浮力取り付け部材とが重ならないように前記第２の浮力取り付け部材の端部と前記第１の浮力取り付け部材の端部とを近接させ、バッグ及び/又は座布団として使用し、
災害時、前記ポケットから前記右足装着部、前記左足装着部、前記第２の浮力取り付け部材及び前記第１の浮力取り付け部材を取り出し、前記右足装着部に前記装着者の右足を、前記左足装着部に前記装着者の左足を、前記接続体の前記開口部に前記装着者の頭を通して、装着する
ことを特徴とする防災用バッグの装着方法。
【請求項５】
ポケット内への右足装着部、左足装着部、第２の浮力取り付け部材及び第１の浮力取り付け部材の収納時、前記第１の浮力取り付け部材の一部が前記ポケットから露出している
ことを特徴とする請求項１記載の防災用バッグ。
【請求項６】
接続体は、第１、第２の帯状体を有し、前記第１の帯状体、前記第２の帯状体、第１の浮力取り付け部材、第２の浮力取り付け部材で囲まれた空間が、装着者の頭を通す開口部である
ことを特徴とする請求項１記載の防災用バッグ。
【請求項７】
物を入れる収納部を有し、取っ手を有する袋体と、
この袋体に取り付けられ、第１の浮力体を内在した第１の浮力取り付け部材と、
第２の浮力体を内在した第２の浮力取り付け部材と、
この第２の浮力取り付け部材と前記袋体を接続すると共に、装着者の頭を通す開口部を備えた接続体と、
前記第２の浮力取り付け部材に接続された右足装着部と、
前記第２の浮力取り付け部材に接続された左足装着部とを備え、
前記接続体の前記開口部の大きさは、装着者の頭を通すが、装着者の頭及び装着者の肩を通さないものであり、
前記接続体と前記袋体の接続部位より折曲して、前記第２の浮力取り付け部材を前記袋体に近接させ、この近接状態を保持する保持手段を備えている
ことを特徴とする防災用バッグ。
【請求項８】
取っ手の下方に第１の浮力取り付け部材が位置し、
接続体と袋体の接続部位より折曲して、前記第２の浮力取り付け部材を袋体に近接させ、この近接状態を保持手段により保持された際、前記第１の浮力取り付け部材にシート状の接続体が重なり、前記第２の浮力取り付け部材が第１の浮力取り付け部材に重ならないようにした
ことを特徴とする請求項７記載の防災用バッグ。
【請求項９】
第２の浮力取り付け部材に折曲自在な折曲部を設け、
この折曲部を前記第２の浮力取り付け部材の側に折曲し、前記折曲部と前記第２の浮力取り付け部材との間に右足装着部及び左足装着部を収納した
ことを特徴とする請求項７記載の防災用バッグ。
【請求項１０】
物を入れる収納部を有し、取っ手を有する袋体と、
この袋体に取り付けられ、第１の浮力体を内在した第１の浮力取り付け部材と、
第２の浮力体を内在した第２の浮力取り付け部材と、
この第２の浮力取り付け部材と前記袋体を接続すると共に、装着者の頭を通す開口部を備えた接続体と、
前記第２の浮力取り付け部材に接続された右足装着部と、
前記第２の浮力取り付け部材に接続された左足装着部とを備えた防災用バッグであって、
前記接続体の前記開口部の大きさは、装着者の頭を通すが、装着者の頭及び装着者の肩を通さないものであり、
前記接続体と前記袋体の接続部位より折曲して、前記第２の浮力取り付け部材を前記袋体に近接させ、この近接状態を保持する保持手段を有し、
津波等の災害時、前記右足装着部に装着者の右足を、前記左足装着部に装着者の左足を、それぞれ入れ、装着者の頭を前記接続体の前記開口部に通して前記防災用バッグを装着する
ことを特徴とする防災用バッグの装着方法。
【請求項１１】
本体と、
この本体に取り付けられ、第１の浮力体を内在した第１の浮力取り付け部材と、
第２の浮力体を内在した第２の浮力取り付け部材と、
この第２の浮力取り付け部材と前記本体を接続すると共に、装着者の頭を通す開口部を備えた接続体と、
前記第２の浮力取り付け部材に接続された右足装着部と、
前記第２の浮力取り付け部材に接続された左足装着部とを備え、
前記接続体の前記開口部の大きさは、装着者の頭を通すが、装着者の頭及び装着者の肩を通さないものであり、
前記接続体と前記本体の接続部位より折曲して、前記本体を前記第２の浮力取り付け部材に近接させ、前記第２の浮力取り付け部材が前記第１の浮力取り付け部材に重ならないように構成して座布団として利用することができる
ことを特徴とする防災用座布団。
【請求項１２】
本体と、
この本体に取り付けられ、第１の浮力体を内在した第１の浮力取り付け部材と、
第２の浮力体を内在した第２の浮力取り付け部材と、
この第２の浮力取り付け部材と前記本体を接続すると共に、装着者の頭を通す開口部を備えた接続体と、
前記第２の浮力取り付け部材に接続された右足装着部と、
前記第２の浮力取り付け部材に接続された左足装着部とを備えた防災用座布団であって、
前記接続体の前記開口部の大きさは、装着者の頭を通すが、装着者の頭及び装着者の肩を通さないものであり、
前記接続体と前記本体の接続部位より折曲して、前記本体を前記第２の浮力取り付け部材に近接させ、前記第２の浮力取り付け部材が前記第１の浮力取り付け部材に重ならないように構成して座布団として利用し、
津波等の災害時、前記右足装着部に装着者の右足を、前記左足装着部に装着者の左足を、それぞれ入れ、装着者の頭を前記接続体の前記開口部に通して前記防災用座布団を装着する
ことを特徴とする防災用座布団の装着方法。
【発明の詳細な説明】
【技術分野】
【０００１】
本発明は、防災用バッグ、防災用バッグの装着方法、防災用座布団、防災用座布団の装着方法及び防災具に係り、特に、津波等の災害時、容易に装着することができると共に、装着時、容易に離脱しにくい防災用バッグ、防災用バッグの装着方法、防災用座布団、防災用座布団の装着方法及び防災具に関する。
【背景技術】
【０００２】
従来、ライフジャケットの機能を持たせたバッグがある（特許文献１参照）。
【先行技術文献】
【特許文献】
【０００３】
【特許文献１】特開２０１４−１１３１８０号公報
【発明の概要】
【発明が解決しようとする課題】
【０００４】
しかしながら、上記バッグにあっては、非常時にライフジャケットとして使用する場合には、スライドファスナ（４１）を、一方の妻面部（２）を始端として一気に底面部（３）を通り他方の妻面部（２）に至るように広範囲に亘って解放させねばならず、子供等にとって、非常時、簡易且つ迅速に装着しづらいという問題点が生じた。
【０００５】
本発明は、前記問題点を考慮してなされたもので、津波等の災害時、容易に装着することができる防災用バッグ、防災用バッグの装着方法、防災用座布団、防災用座布団の装着方法及び防災具を提供することを目的とする。
【課題を解決するための手段】
【０００６】
請求項１記載の防災用バッグは、物を入れる収納部を有し、取っ手を有する袋体と、この袋体の一側面に設けられたポケットと、前記袋体に取り付けられ、第１の浮力体を内在した第１の浮力取り付け部材と、第２の浮力体を内在した第２の浮力取り付け部材と、この第２の浮力取り付け部材と前記第１の浮力取り付け部材を接続すると共に、装着者の頭を通す開口部を備えた接続体と、前記第２の浮力取り付け部材に接続された右足装着部と、前記第２の浮力取り付け部材に接続された左足装着部とを備え、前記接続体の前記開口部の大きさは、装着者の頭を通す大きさであり、前記ポケットに前記右足装着部、前記左足装着部、前記第１の浮力取り付け部材及び前記第２の浮力取り付け部材が収納され、バッグとして使用し、災害時、前記右足装着部に前記装着者の右足を、前記左足装着部に前記装着者の左足を、前記接続体の前記開口部に前記装着者の頭を通して、装着するものである。
【０００７】
また、請求項２記載の防災具は、第１の浮力体を内在した第１の浮力取り付け部材と、第２の浮力体を内在した第２の浮力取り付け部材と、この第２の浮力取り付け部材と前記第１の浮力取り付け部材を接続すると共に、装着者の頭を通す開口部を備えた接続体と、前記第２の浮力取り付け部材に接続された右足装着部と、前記第２の浮力取り付け部材に接続された左足装着部とを備え、前記接続体の前記開口部の大きさは、装着者の頭を通す大きさであり、災害時、前記右足装着部に前記装着者の右足を、前記左足装着部に前記装着者の左足を、前記接続体の前記開口部に前記装着者の頭を通して、装着するものである。
【０００８】
また、請求項３記載の防災用バッグの装着方法は、物を入れる収納部を有し、取っ手を有する袋体と、この袋体の一側面に設けられたポケットと、前記袋体に取り付けられ、第１の浮力体を内在した第１の浮力取り付け部材と、第２の浮力体を内在した第２の浮力取り付け部材と、この第２の浮力取り付け部材と前記第１の浮力取り付け部材を接続すると共に、装着者の頭を通す開口部を備えた接続体と、前記第２の浮力取り付け部材に接続された右足装着部と、前記第２の浮力取り付け部材に接続された左足装着部とを備え、前記接続体の前記開口部の大きさは、装着者の頭を通す大きさであり、前記ポケットに前記右足装着部、前記左足装着部、前記第１の浮力取り付け部材及び前記第２の浮力取り付け部材が収納され、バッグとして使用し、災害時、前記右足装着部に前記装着者の右足を、前記左足装着部に前記装着者の左足を、前記接続体の前記開口部に前記装着者の頭を通して、装着するものである。
【０００９】
また、請求項４記載の防災用バッグの装着方法は、物を入れる収納部を有し、取っ手を有する袋体と、この袋体の一側面に設けられたポケットと、前記袋体に取り付けられ、第１の浮力体を内在した第１の浮力取り付け部材と、第２の浮力体を内在した第２の浮力取り付け部材と、この第２の浮力取り付け部材と前記第１の浮力取り付け部材を接続すると共に、装着者の頭を通す開口部を備えた接続体と、前記第２の浮力取り付け部材に接続された右足装着部と、前記第２の浮力取り付け部材に接続された左足装着部とを備え、前記接続体の前記開口部の大きさは、装着者の頭を通す大きさであり、前記ポケットに前記右足装着部、前記左足装着部、前記第２の浮力取り付け部材及び前記第１の浮力取り付け部材を収納すると共に、前記第２の浮力取り付け部材と前記第１の浮力取り付け部材とが重ならないように前記第２の浮力取り付け部材の端部と前記第１の浮力取り付け部材の端部とを近接させ、バッグ及び/又は座布団として使用し、災害時、前記ポケットから前記右足装着部、前記左足装着部、前記第２の浮力取り付け部材及び前記第１の浮力取り付け部材を取り出し、前記右足装着部に前記装着者の右足を、前記左足装着部に前記装着者の左足を、前記接続体の前記開口部に前記装着者の頭を通して、装着するものである。
【００１０】
また、請求項５記載の防災用バッグは、請求項１記載の防災用バッグにおいて、ポケット内への右足装着部、左足装着部、第２の浮力取り付け部材及び第１の浮力取り付け部材の収納時、前記第１の浮力取り付け部材の一部が前記ポケットから露出しているものである。
【００１１】
また、請求項６記載の防災用バッグは、請求項１記載の防災用バッグにおいて、接続体は、第１、第２の帯状体を有し、前記第１の帯状体、前記第２の帯状体、第１の浮力取り付け部材、第２の浮力取り付け部材で囲まれた空間が、装着者の頭を通す開口部である。
【００１２】
また、請求項７記載の防災用バッグは、物を入れる収納部を有し、取っ手を有する袋体と、この袋体に取り付けられ、第１の浮力体を内在した第１の浮力取り付け部材と、第２の浮力体を内在した第２の浮力取り付け部材と、この第２の浮力取り付け部材と前記袋体を接続すると共に、装着者の頭を通す開口部を備えた接続体と、前記第２の浮力取り付け部材に接続された右足装着部と、前記第２の浮力取り付け部材に接続された左足装着部とを備え、前記接続体の前記開口部の大きさは、装着者の頭を通すが、装着者の頭及び装着者の肩を通さないものであり、前記接続体と前記袋体の接続部位より折曲して、前記第２の浮力取り付け部材を前記袋体に近接させ、この近接状態を保持する保持手段を備えているものである。
【００１３】
また、請求項８記載の防災用バッグは、請求項７記載の防災用バッグにおいて、取っ手の下方に第１の浮力取り付け部材が位置し、接続体と袋体の接続部位より折曲して、前記第２の浮力取り付け部材を袋体に近接させ、この近接状態を保持手段により保持された際、前記第１の浮力取り付け部材にシート状の接続体が重なり、前記第２の浮力取り付け部材が第１の浮力取り付け部材に重ならないようにしたものである。
【００１４】
また、請求項９記載の防災用バッグは、請求項７記載の防災用バッグにおいて、第２の浮力取り付け部材に折曲自在な折曲部を設け、この折曲部を前記第２の浮力取り付け部材の側に折曲し、前記折曲部と前記第２の浮力取り付け部材との間に右足装着部及び左足装着部を収納したものである。
【００１５】
また、請求項１０記載の防災用バッグの装着方法は、物を入れる収納部を有し、取っ手を有する袋体と、この袋体に取り付けられ、第１の浮力体を内在した第１の浮力取り付け部材と、第２の浮力体を内在した第２の浮力取り付け部材と、この第２の浮力取り付け部材と前記袋体を接続すると共に、装着者の頭を通す開口部を備えた接続体と、前記第２の浮力取り付け部材に接続された右足装着部と、前記第２の浮力取り付け部材に接続された左足装着部とを備えた防災用バッグであって、前記接続体の前記開口部の大きさは、装着者の頭を通すが、装着者の頭及び装着者の肩を通さないものであり、前記接続体と前記袋体の接続部位より折曲して、前記第２の浮力取り付け部材を前記袋体に近接させ、この近接状態を保持する保持手段を有し、津波等の災害時、前記右足装着部に装着者の右足を、前記左足装着部に装着者の左足を、それぞれ入れ、装着者の頭を前記接続体の前記開口部に通して前記防災用バッグを装着するものである。
【００１６】
また、請求項１１記載の座布団は、本体と、この本体に取り付けられ、第１の浮力体を内在した第１の浮力取り付け部材と、第２の浮力体を内在した第２の浮力取り付け部材と、この第２の浮力取り付け部材と前記本体を接続すると共に、装着者の頭を通す開口部を備えた接続体と、前記第２の浮力取り付け部材に接続された右足装着部と、前記第２の浮力取り付け部材に接続された左足装着部とを備え、前記接続体の前記開口部の大きさは、装着者の頭を通すが、装着者の頭及び装着者の肩を通さないものであり、前記接続体と前記本体の接続部位より折曲して、前記本体を前記第２の浮力取り付け部材に近接させ、前記第２の浮力取り付け部材が前記第１の浮力取り付け部材に重ならないように構成して座布団として利用することができるものである。
【００１７】
また、請求項１２記載の防災用座布団の装着方法は、本体と、この本体に取り付けられ、第１の浮力体を内在した第１の浮力取り付け部材と、第２の浮力体を内在した第２の浮力取り付け部材と、この第２の浮力取り付け部材と前記本体を接続すると共に、装着者の頭を通す開口部を備えた接続体と、前記第２の浮力取り付け部材に接続された右足装着部と、前記第２の浮力取り付け部材に接続された左足装着部とを備えた防災用座布団であって、前記接続体の前記開口部の大きさは、装着者の頭を通すが、装着者の頭及び装着者の肩を通さないものであり、前記接続体と前記本体の接続部位より折曲して、前記本体を前記第２の浮力取り付け部材に近接させ、前記第２の浮力取り付け部材が前記第１の浮力取り付け部材に重ならないように構成して座布団として利用し、津波等の災害時、前記右足装着部に装着者の右足を、前記左足装着部に装着者の左足を、それぞれ入れ、装着者の頭を前記接続体の前記開口部に通して前記防災用座布団を装着するものである。
【発明の効果】
【００１８】
請求項１記載の防災用バッグによれば、通常時は、袋体に物を入れるバッグとして使用し、津波等の災害時は、右足装着部に装着者の右足を、左足装着部に装着者の左足を、接続体の開口部に装着者の頭を通して、装着するため、津波等の装着時、体に防災用バッグを簡易且つ迅速に装着し易い等の効果を有する。
【００１９】
また、請求項２記載の防災具によれば、津波等の災害時は、右足装着部に装着者の右足を、左足装着部に装着者の左足を、接続体の開口部に装着者の頭を通して、装着するため、津波等の装着時、体に防災具を簡易且つ迅速に装着し易い等の効果を有する。
【００２０】
また、請求項３記載の防災用バッグの装着方法によれば、通常時は、袋体に物を入れるバッグとして使用し、津波等の災害時は、ポケットから右足装着部、左足装着部、第１の浮力取り付け部材及び第２の浮力取り付け部材を取り出し、右足装着部に装着者の右足を、左足装着部に装着者の左足を、接続体の開口部に装着者の頭を通して、装着するため、津波等の装着時、体に防災用バッグを簡易且つ迅速に装着し易い等の効果を有する。
【００２１】
また、請求項４記載の防災用バッグの装着方法によれば、通常時は、ポケットに右足装着部、左足装着部、第２の浮力取り付け部材及び第１の浮力取り付け部材を収納すると共に、第２の浮力取り付け部材と第１の浮力取り付け部材とが重ならないように第２の浮力取り付け部材の端部と第１の浮力取り付け部材の端部とを近接させ、バッグ及び/又は座布団として使用し、袋体に物を入れるバッグ及び/又は座布団として使用し、津波等の災害時は、ポケットから右足装着部、左足装着部、第２の浮力取り付け部材及び第１の浮力取り付け部材を取り出し、右足装着部に装着者の右足を、左足装着部に装着者の左足を、接続体の開口部に装着者の頭を通して、装着するため、津波等の装着時、体に防災用バッグを簡易且つ迅速に装着し易い等の効果を有する。
【００２２】
また、請求項５記載の防災用バッグによれば、上述した請求項１記載の発明の効果に加え、ポケット内への右足装着部、左足装着部、第２の浮力取り付け部材及び第１の浮力取り付け部材の収納時、第１の浮力取り付け部材の一部が前記ポケットから露出しているため、災害時、ポケット内から第１の浮力取り付け部材、第２の浮力取り付け部材、右足装着部、左足装着部を取り出し易く、災害時、迅速に対応することができる。
【００２３】
また、請求項６記載の防災用バッグによれば、上述した請求項１記載の発明の効果に加え、接続体は、第１、第２の帯状体を有し、前記第１の帯状体、前記第２の帯状体、第１の浮力取り付け部材、第２の浮力取り付け部材で囲まれた空間が、装着者の頭を通す開口部であるため、開口部を一部材で形成したものに比べ、強度的にも強く、しかも、第１の浮力取り付け部材、第２の浮力取り付け部材への取り付け部位も少なく、更に、材料費も少なくて済む効果を有する。
【００２４】
また、請求項７記載の防災用バッグによれば、通常時は、袋体に物を入れるバッグとして使用し、津波等の災害時は、浮力取り付け部材に接続された右足装着部に右足を、浮力取り付け部材に接続された左足装着部に左足を、それぞれ入れ、頭を接続体の開口部に通せば、防災用バッグを容易に装着することができ、しかも、装着時にあっては、一方は、接続体の開口部の大きさを、頭を通すが、頭及び肩を通さないものであり、他方は、第２の浮力取り付け部材に接続された右足装着部に右足を、第２の浮力取り付け部材に接続された左足装着部に左足を、それぞれ入れているため、津波等の装着時、体から防災用バッグが離脱しにくい等の効果を有する。
【００２５】
また、請求項８記載の防災用バッグによれば、上述した請求項７記載の発明の効果に加え、接続体と袋体の接続部位より折曲して、第２の浮力取り付け部材を前記袋体に近接させ、この近接状態を保持手段により保持された際、第１の浮力取り付け部材にシート状の接続体が重なり、前記第２の浮力取り付け部材が第１の浮力取り付け部材に重ならないようにしたため、通常時、コンパクトなバッグとして使用することができ、しかも、津波等の災害時、装着者の頭の前後に第１の浮力取り付け部材、第２の浮力取り付け部材がそれぞれ近接しているため、浮力を効果的に発揮させることができる。
【００２６】
また、請求項９記載の防災用バッグによれば、上述した請求項７記載の発明の効果に加え、第２の浮力取り付け部材に折曲自在な折曲部を設け、この折曲部を第２の浮力取り付け部材の側に折曲し、前記折曲部と前記第２の浮力取り付け部材との間に右足装着部及び左足装着部を収納したため、津波等の災害時でない通常時、コンパクトなバッグとして使用することができる。
【００２７】
また、請求項１０記載の防災用バッグの装着方法によれば、津波等の災害時、第２の浮力取り付け部材に接続された右足装着部に装着者の右足を、第２の浮力取り付け部材に接続された左足装着部に装着者の左足を、それぞれ入れ、装着者の頭を接続体の開口部に通せば、防災用バッグを容易に装着することができ、しかも、装着時にあっては、防災用バッグの一方は、接続体の開口部の大きさを、装着者の頭を通すが、装着者の頭及び装着者の肩を通さないものであり、防災用バッグの他方は、第２の浮力取り付け部材に接続された右足装着部に装着者の右足を、第２の浮力取り付け部材に接続された左足装着部に装着者の左足を、それぞれ入れているため、津波等の装着時、体から防災用バッグが離脱しにくく、更に、仰向けになった場合、装着者の後頭部を第１の浮力取り付け部材に載せることができ、体力の温存を図り、また、うつ伏せになった場合、第２の浮力取り付け部材により、装着者の頭を水面又は海面より上方に位置させることができる。
【００２８】
また、請求項１１記載の防災用座布団によれば、通常時は、接続体と本体の接続部位より折曲して、第２の浮力取り付け部材を本体に近接させ、前記第２の浮力取り付け部材が第１の浮力取り付け部材に重ならないように構成して座布団として利用し、津波等の災害時は、第２の浮力取り付け部材に接続された右足装着部に装着者の右足を、第２の浮力取り付け部材に接続された左足装着部に装着者の左足を、それぞれ入れ、装着者の頭を接続体の開口部に通せば、防災用バッグを容易に装着することができ、しかも、装着時にあっては、防災用座布団の一方は、接続体の開口部の大きさを、装着者の頭を通すが、装着者の頭及び装着者の肩を通さないものであり、防災用座布団の他方は、第２の浮力取り付け部材に接続された右足装着部に装着者の右足を、第２の浮力取り付け部材に接続された左足装着部に装着者の左足を、それぞれ入れているため、津波等の装着時、体から防災用バッグが離脱しにくい等の効果を有する。
【００２９】
また、請求項１２記載の防災用座布団の装着方法によれば、津波等の災害時、第２の浮力取り付け部材に接続された右足装着部に装着者の右足を、第２の浮力取り付け部材に接続された左足装着部に装着者の左足を、それぞれ入れ、装着者の頭を接続体の開口部に通せば、防災用座布団を容易に装着することができ、しかも、装着時にあっては、防災用座布団の一方は、接続体の開口部の大きさを、装着者の頭を通すが、装着者の頭及び装着者の肩を通さないものであり、防災用座布団の他方は、第２の浮力取り付け部材に接続された右足装着部に装着者の右足を、第２の浮力取り付け部材に接続された左足装着部に装着者の左足を、それぞれ入れているため、津波等の装着時、体から防災用座布団が離脱しにくく、更に、仰向けになった場合、装着者の後頭部を第１の浮力取り付け部材に載せることができ、体力の温存を図り、また、うつ伏せになった場合、第２の浮力取り付け部材により、装着者の頭を水面又は海面より上方に位置させることができる。
【図面の簡単な説明】
【００３０】
【図１】図１は、本発明の一実施例の防災用バッグの通常時の使用状態の概略的斜視図である。
【図２】図２は、図１の防災用バッグの津波等の災害時の使用状態の概略的斜視図である。
【図３】図３は、図２の概略的一部背面図である。
【図４】図４は、図１の防災用バッグの概略的正面図である。
【図５】図５（ａ）は、図４の概略的右側面図であり、図５（ｂ）は、図５（ａ）の防災用バッグの保持手段を解除した場合の概略的右側面図である。
【図６】図６は、図５（ｂ）の概略的右側面図である。
【図７】図７は、図２の防災用バッグの装着前の状態を示す概略的図である。
【図８】図８は、図２の防災用バッグを津波等の災害時使用し、仰向けになった場合の状態を示す概略的図である。
【図９】図９は、図２の防災用バッグを津波等の災害時使用し、うつ伏せになった場合の状態を示す概略的図である。
【図１０】図１０は、本発明の一実施例の防災用座布団の通常時の使用状態の概略的断面図である。
【図１１】図１１は、図１０の防災用座布団の津波等の災害時の装着前の図１０の防災用座布団を展開して示す概略的展開図である。
【図１２】図１２は、図１の防災用バッグと異なる他の実施例の防災用バッグの通常時の使用状態の概略的斜視図である。
【図１３】図１３は、図１２の防災用バッグの津波等の災害時の使用状態の概略的斜視図である。
【図１４】図１４は、図１３の概略的一部背面図である。
【図１５】図１５は、図１２の防災用バッグの概略的正面図である。
【図１６】図１６は、図１５の防災用バッグの概略的背面図である。
【図１７】図１７は、図１５の防災用バッグのポケットから右足装着部、左足装着部、浮力取り付け部材及び第１の浮力体を取り出して展開途中の状態の概略的展開途中図である。
【図１８】図１８は、図１５の防災用バッグのポケットから右足装着部、左足装着部、浮力取り付け部材及び第１の浮力体を取り出して展開した概略的展開図である。
【図１９】図１９（ａ）は、図１５の概略的左側面図であり、図１９（ｂ）は、図１９（ａ）の防災用バッグのポケットから第１の浮力体及び浮力取り付け部材を取り出している状態の概略的左側面図であり、図１９（ｃ）は、図１９（ｂ）の防災用バッグのポケットから右足装着部、左足装着部第１の浮力体及び浮力取り付け部材を取り出した状態の概略的左側面図である。
【図２０】図２０は、図１８の防災用バッグを津波等の災害時使用し、仰向けになった場合の状態を示す概略的図である。
【図２１】図２１は、図１８の防災用バッグを津波等の災害時使用し、うつ伏せになった場合の状態を示す概略的図である。
【図２２】図１８は、図１２の防災用バッグと異なる他の実施例の防災具を展開した概略的展開図である。
【図２３】図２３は、図２２の概略的左側面図である。
【発明を実施するための形態】
【００３１】
本発明の一実施例の防災用バッグ、防災用バッグの装着方法、防災用座布団、防災用座布団の装着方法及び防災具を図面（図１乃至図９）を参照して説明する。
【００３２】
図１に示すＢは防災用バッグで、防災用バッグＢは、図７に示すように、袋体１、第１の浮力取り付け部材２、第２の浮力取り付け部材３、接続体４、右足装着部５、左足装着部６、折曲部７を有する。
【００３３】
袋体１は、図５（ａ）に示すように、上端が開口し、内部に物（例えば、ノート１２、本１３等）を入れる収納部を有し、取っ手１１、１１を有する。取っ手１１、１１は、開口縁部の略中央に設けられている。袋体１には、第１の浮力取り付け部材２が取り付けられている。第１の浮力取り付け部材２は、例えば、取っ手１１、１１の下方に位置している。図５に示す２１は、第１の浮力体を示し、第１の浮力体２１は、第１の浮力取り付け部材２に内在されている。
【００３４】
第２の浮力取り付け部材３には、第２の浮力体３１が内在されている。
【００３５】
接続体４はシート状で、第２の浮力取り付け部材３と袋体１を接続すると共に、装着者の頭を通す開口部４１を備え、接続体４の開口部４１の大きさは、装着者の頭を通すが、装着者の頭及び装着者の肩を通さないものである。
【００３６】
右足装着部５と左足装着部６は、それぞれ折曲部７に接続されている。
なお、折曲部７がない場合には、図示しないが、右足装着部５と左足装着部６は、それぞれ第２の浮力取り付け部材３に接続するようにする。
右足装着部５と左足装着部６は、例えば、帯状部材１００、１０１を長さ調整部材１０２を介して接続し、帯状部材１００の中途と折曲部７とを帯状部材１０３により接続する。
なお、折曲部７がない場合には、図示しないが、帯状部材１００の中途と第２の浮力取り付け部材３とを帯状部材１０３により接続するようにする。
そして、長さ調整部材１０２を装着者に合うように調整し、帯状部材１００、１０１を帯状部材１０３により二分割し、二分割した一方である右足装着部５に装着者の右足を、二分割した他方である左足装着部６に装着者の左足を、それぞれ入れるようにしている。
【００３７】
第２の浮力取り付け部材３には、折曲自在な折曲部７が設けられている。この折曲部７を第２の浮力取り付け部材３の側に折曲し、折曲部７と第２の浮力取り付け部材３との間に右足装着部５及び左足装着部６を収納することができる。その結果、通常時、コンパクトなバッグとして使用することができる[図１、図４及び図５（ａ）参照]。
なお、折曲部７を第２の浮力取り付け部材３の側に折曲し、折曲部７と第２の浮力取り付け部材３とを折曲部保持手段９により保持することができる。
折曲部保持手段９は、例えば、面状ファスナーで構成する。具体的には、例えば、折曲部７に鈎状の係止部９１、第２の浮力取り付け部材３にループ状の被係止部９２を設けるようにしている。
【００３８】
また、津波等の災害時でない通常時、接続体４と袋体１の接続部位Ｘより折曲して、第２の浮力取り付け部材３を袋体４に近接させ、この近接状態を保持する保持手段８を備えている。
保持手段８は、例えば、面状ファスナーにて構成する。具体的には、例えば、折曲部７にループ状の被係止部８１、袋体１に鈎状の係止部８２を設けるようにしている。
なお、折曲部７を設けない場合には、第２の浮力取り付け部材３に鈎状の係止部８２を設けるようにしても良い。
また、接続体４と袋体１の接続部位Ｘより折曲して、第２の浮力取り付け部材３を袋体１に近接させ、この近接状態を保持手段８により保持された際、図５（ａ）（ｂ）に示すように、第１の浮力取り付け部材２にシート状の接続体４が重なり、第２の浮力取り付け部材３が第１の浮力取り付け部材２に重ならないようにし、通常時、コンパクトなバッグとして使用することができるようにしている[図１、図４及び図５（ａ）参照]。
【００３９】
なお、津波等の災害時、保持手段８を解除して折曲部７を図７に示すように展開し、右足装着部５に装着者の右足を、左足装着部６に装着者の左足を、それぞれ入れ、装着者の頭を接続体の開口部４１に通して防災用バッグＢを装着することができる（図２参照）。
【００４０】
従って、上述した防災用バッグＢ（災用バッグの装着方法）によれば、通常時は、袋体１に物を入れるバッグとして使用し、津波等の災害時は、右足装着部５に装着者の右足を、左足装着部６に装着者の左足を、接続体４の開口部４１に装着者の頭を通して、装着するため、津波等の装着時、体から防災用バッグＢが離脱しにくい等の効果を有する。
更に、津波等の災害時、装着者の頭の前後に第１の浮力取り付け部材２、第２の浮力取り付け部材３がそれぞれ近接しているため、つまり、仰向けになった場合、装着者の後頭部を図８に示すように第１の浮力取り付け部材２に載せることができ、体力の温存を図り、また、うつ伏せになった場合、第２の浮力取り付け部材３により、装着者の頭を水面又は海面より上方に位置させることができる（図９参照）。
【００４１】
なお、防災用バッグ及び防災用バッグの装着方法について上述したが、接続部位Ｘより折曲して、浮力取り付け部材３の第２の浮力体３１が第１の浮力体２に重ならないように構成した点は、図１０に示すように、防災用座布団Ｍ’にも利用できる。
【００４２】
即ち、防災用座布団Ｍ’は、図１０及び図１１に示すように、本体２’と、この本体２’に取り付けられ、第１の浮力体２１’を内在した第１の浮力取り付け部材２’と、第２の浮力体３１を内在した第２の浮力取り付け部材３と、この第２の浮力取り付け部材３と本体２’を接続すると共に、装着者の頭を通す開口部４１を備えた接続体４と、第２の浮力取り付け部材３に接続された右足装着部５と、第２の浮力取り付け部材３に接続された左足装着部６と、接続体４の開口部４１の大きさは、装着者の頭を通すが、装着者の頭及び装着者の肩を通さないものであり、接続体４と本体２’の接続部位Ｘより折曲して、本体２’を第２の浮力取り付け部材３に近接させ、第２の浮力取り付け部材３が第１の浮力取り付け部材２’に重ならないように構成して、図１０に示すように、座布団として利用することができるものである。
【００４３】
図１０に示す防災用座布団Ｍ’を津波等の災害時にあっては、図１０に示す防災用座布団Ｍ’を図１１に示すように展開し、第２の浮力取り付け部材３に接続された右足装着部５に装着者の右足を、第２の浮力取り付け部材３に接続された左足装着部６に装着者の左足を、それぞれ入れ、装着者の頭を接続体４の開口部４１に通せば、防災用座布団Ｍ’を容易に装着することができ、しかも、装着時にあっては、防災用座布団Ｍ’の一方は、接続体４の開口部４１の大きさを、装着者の頭を通すが、装着者の頭及び装着者の肩を通さないものであり、防災用座布団Ｍ’の他方は、第２の浮力取り付け部材３に接続された右足装着部５に装着者の右足を、第２の浮力取り付け部材３に接続された左足装着部６に装着者の左足を、それぞれ入れているため、津波等の装着時、体から防災用座布団Ｍ’が離脱しにくく、更に、仰向けになった場合、装着者の後頭部を第１の浮力取り付け部材２’に載せることができ、体力の温存を図り、また、うつ伏せになった場合、第２の浮力取り付け部材３により、装着者の頭を水面又は海面より上方に位置させることができる。
なお、図１０及び図１１に示す実施例の説明にあっては、上述した図１乃至図９記載の実施例と同一部分に同一符号を付してその説明を省略する。
【００４４】
上述した実施例にあっては、袋体１に浮力取り付け部材３を近接させ、この近接状態を保持手段８により保持するようにしたが、次に述べる実施例は、保持手段８に代えてポケットＰを設けて、ポケットＰに右足装着部５、左足装着部６、第１の浮力取り付け部材２及び第２の浮力取り付け部材３を収納するようにしたものである（図１２乃至図２１参照）。
【００４５】
即ち、図１２に示すＢは防災用バッグで、防災用バッグＢは、図１８に示すように、袋体１、第１の浮力取り付け部材２、第２の浮力取り付け部材３、接続体４、右足装着部５、左足装着部６、ポケットＰ（図１６及び図１９参照）を有する。
【００４６】
袋体１は、図１９（ａ）に示すように、上端が開口し、内部に物（例えば、ノート１２、本１３等）を入れる収納部を有し、取っ手１１、１１を有する。取っ手１１、１１は、開口縁部の略中央に設けられている。袋体１には、第１の浮力取り付け部材２が取り付けられている。第１の浮力取り付け部材２は、例えば、取っ手１１、１１の下方に位置している。図１９に示す２１は、第１の浮力体を示し、第１の浮力体２１は、第１の浮力取り付け部材２に内在されている。
【００４７】
ポケットＰ（図１６及び図１９参照）は、袋体１の一側面に設けられ 上端が開口し、内部に右足装着部５、左足装着部６、第２の浮力取り付け部材３及び第１の浮力取り付け部材２が収納されるようになっている。
そして、ポケットＰ内への右足装着部５、左足装着部６、第２の浮力取り付け部材３及び第１の浮力取り付け部材２の収納時、図１５及び図１９（ａ）に示すように、第１の浮力取り付け部材２の一部が露出しているため、災害時、ポケットＰ内から第１の浮力取り付け部材２、第２の浮力取り付け部材３、右足装着部５、左足装着部６を取り出し易く、災害時、迅速に対応することができる。
【００４８】
また、第２の浮力取り付け部材３には、図１９に示すように、第２の浮力体３１が内在されている。
接続体４は、第２の浮力取り付け部材３と第１の浮力取り付け部材２を接続すると共に、装着者の頭を通す開口部４１を備え、接続体４の開口部４１の大きさは、装着者の頭を通す大きさである。 
接続体４は、例えば、図１８に示すように、第１、第２の帯状体４２、４３を有し、第１の帯状体４２、第２の帯状体４３、第１の浮力取り付け部材２、第２の浮力取り付け部材３で囲まれた空間が、装着者の頭を通す開口部４１であるため、開口部４１を一部材で形成したものに比べ、強度的にも強く、しかも、第２の浮力取り付け部材３、第１の浮力取り付け部材２への取り付け部位も少なく、更に、材料費も少なくて済む効果を有する。
【００４９】
右足装着部５と左足装着部６は、それぞれ第２の浮力取り付け部材３に接続されている。
右足装着部５と左足装着部６は、例えば、帯状部材１００を帯状部材１０３により二分割し、二分割した一方である右足装着部５に装着者の右足を、二分割した他方である左足装着部６に装着者の左足を、それぞれ入れるようにしている。
【００５０】
また、津波等の災害時でない通常時、ポケットＰに右足装着部５、左足装着部６、第２の浮力取り付け部材３及び第１の浮力取り付け部材２を収納し、図１２、図１５及び図１６に示すように、バッグとして使用し、津波等の災害時、図１９（ａ）（ｂ）（ｃ）に示すようにして、ポケットＰに収納した右足装着部５、左足装着部６、第２の浮力取り付け部材３及び第１の浮力取り付け部材２を取り出し、図１８に示すように防災用バッグＢを展開し、右足装着部５に装着者の右足を、左足装着部６に装着者の左足を、接続体４の開口部４１に装着者の頭を通して、図１３及び図１４に示すように装着する。
【００５１】
従って、上述した防災用バッグＢ（災用バッグの装着方法）によれば、津波等の災害時、第２の浮力取り付け部材３に接続された右足装着部５に装着者の右足を、第２の浮力取り付け部材３に接続された左足装着部６に装着者の左足を、それぞれ入れ、装着者の頭を接続体４の開口部４１に通せば、防災用バッグＢを容易に装着することができ、しかも、装着時にあっては、防災用バッグＢの一方は、接続体４の開口部４１の大きさを、装着者の頭を通すものであり、防災用バッグＢの他方は、第２の浮力取り付け部材３に接続された右足装着部５に装着者の右足を、第２の浮力取り付け部材３に接続された左足装着部６に装着者の左足を、それぞれ入れているため（図１３及び図１４参照）、津波等の装着時、体から防災用バッグＢが離脱しにくく、更に、津波等の災害時、装着者の頭の前後に第１の浮力取り付け部材２、第２の浮力取り付け部材３がそれぞれ近接しているため、つまり、仰向けになった場合、装着者の後頭部を図２０に示すように第１の浮力取り付け部材２に載せることができ、体力の温存を図り、また、うつ伏せになった場合、第２の浮力取り付け部材３により、装着者の頭を水面又は海面より上方に位置させることができる（図２１参照）。
【００５２】
なお、防災用バッグ及び防災用バッグの装着方法について上述したが、ポケットＰに右足装着部５、左足装着部６、第１の浮力取り付け部材２及び第２の浮力取り付け部材３を収納すると共に、図１６及び図１９（ａ）に示すように、第１の浮力取り付け部材２と第２の浮力取り付け部材３とが重ならないように第１の浮力取り付け部材２の端部と第２の浮力取り付け部材３の端部とを近接させ、バッグ及び/又は座布団として使用することができる。
【００５３】
上述した実施例にあっては、第１の浮力体２１を内在した第１の浮力取り付け部材２を袋体１に取り付けるようにしたが、第１の浮力体２１を内在した第１の浮力取り付け部材２を、図２２及び図２３に示すように、袋体１から分離し、防災具Ｂ’として独立させても良い。防災具Ｂ’は、例えば、図示しないバッグ内に収納するようにしても良い。
【００５４】
即ち、防災具Ｂ’は、図２２及び図２３に示すように、第１の浮力体２１を内在した第１の浮力取り付け部材２と、第２の浮力体３１を内在した第２の浮力取り付け部材３と、この第２の浮力取り付け部材３と第１の浮力取り付け部材２を接続すると共に、装着者の頭を通す開口部４１を備えた接続体４と、第２の浮力取り付け部材３に接続された右足装着部５と、第２の浮力取り付け部材３に接続された左足装着部６とを備えたものである。そして、接続体４の開口部４１の大きさは、装着者の頭を通す大きさであり、災害時、右足装着部５に装着者の右足を、左足装着部６に装着者の左足を、接続体４の開口部４１に装着者の頭を通して、装着するものである。
【００５５】
従って、図２２及び図２３の防災具Ｂ’によれば、津波等の災害時は、右足装着部５に装着者の右足を、左足装着部６に装着者の左足を、接続体４の開口部４１に装着者の頭を通して、装着するため、津波等の装着時、体に防災具Ｂ’を簡易且つ迅速に装着し易いものとなる。
なお、図２２及び図２３に示す実施例の説明にあっては、上述した図１２乃至図２１記載の実施例と同一部分に同一符号を付してその説明を省略する。
【符号の説明】
【００５６】
Ｂ        防災用バッグ
１        袋体
２        第１の浮力体
３        浮力取り付け部材
４        接続体
５        右足装着部
６        左足装着部
８        保持手段
１１      取っ手
３１      第２の浮力体
４１      開口部
Ｘ        接続部位
【図１】
2016112398.tif 000003
【図２】
2016112398.tif 000004
【図３】
2016112398.tif 000005
【図４】
2016112398.tif 000006
【図５】
2016112398.tif 000007
【図６】
2016112398.tif 000008
【図７】
2016112398.tif 000009
【図８】
2016112398.tif 000010
【図９】
2016112398.tif 000011
【図１０】
2016112398.tif 000012
【図１１】
2016112398.tif 000013
【図１２】
2016112398.tif 000014
【図１３】
2016112398.tif 000015
【図１４】
2016112398.tif 000016
【図１５】
2016112398.tif 000017
【図１６】
2016112398.tif 000018
【図１７】
2016112398.tif 000019
【図１８】
2016112398.tif 000020
【図１９】
2016112398.tif 000021
【図２０】
2016112398.tif 000022
【図２１】
2016112398.tif 000023
【図２２】
2016112398.tif 000024
【図２３】
2016112398.tif 000025